(57)【特許請求の範囲】
【請求項１】
ＩＰＤＬにおける高速データトラフィックの伝送を制御する方法であって、
（１）ネットワークがＩＰＤＬの発生時間を取得し、該ＩＰＤＬの発生時間を判定し、該時間が専用物理制御チャネル（ＤＰＣＨ）で発生する場合、下記のステップ（２）に進行し、該時間が高速ダウンリンク共有チャネル（ＨＳ−ＤＳＣＨ）で発生する場合、下記のステップ（５）に進行するステップと、
（２）該ＩＰＤＬが該ＤＰＣＨ中の２つのタイムスロットにわたるか否かを判定し、該ＤＰＣＨ中の２つのタイムスロットにわたらない場合、下記のステップ（３）に進行し、該ＤＰＣＨ中の２つのタイムスロットにわたる場合、下記のステップ（４）に進行するステップと、
（３）拡大されたスペクトルファクタがＩＰＤＬにより占められるタイムスロット中の信号に対して半分にされ、伝送パワーが増大され、次いで下記のステップ（８）に進行するステップと、
（４）ＩＰＤＬによりわたされた先のタイムスロットの該拡大されたスペクトルファクタを半分にし、処理された該タイムスロットは第１の半分のタイムスロットにあり、ＩＰＤＬによりわたされた次のタイムスロットの該拡大されたスペクトルファクタを半分にし、処理された該タイムスロットは第２の半分のタイムスロットにあり、該先のタイムスロットの第１の半分中の信号および該次のタイムスロットの第２の半分中の信号に対する伝送パワーを増大し、次いで下記のステップ（８）に進行するステップと、
（５）該ＩＰＤＬが該ＨＳ−ＤＳＣＨ中の２つのタイムスロットにわたるか否かを判定し、該ＨＳ−ＤＳＣＨ中の２つのタイムスロットにわたらない場合、下記のステップ（６）に進行し、該ＨＳ−ＤＳＣＨ中の２つのタイムスロットにわたる場合、下記のステップ（７）に進行するステップと、
（６）該ＩＰＤＬが存在する位置に統合空タイムスロットを挿入し、次いでステップ（８）に進行するステップと、
（７）該ＩＰＤＬによりわたされた該先のタイムスロットおよび該次のタイムスロットを２つの半分のタイムスロットにそれぞれ分割するステップであって、該先のタイムスロットの第１の半分中の信号は正常に伝送され、該先のタイムスロットの第２の半分中の信号は該次のタイムスロットの第２の半分にシフトされ、該次のタイムスロット中の信号は１タイムスロット遅延されて伝送されるステップと、
（８）該ＩＰＤＬ中にプロセスを終了するステップと
を包含する、方法。
【請求項２】
前記ステップ（３）および前記ステップ（４）において、前記伝送パワーが２倍にされる、請求項１に記載のＩＰＤＬにおける高速データトラフィックの伝送を制御する方法。
【請求項３】
前記ステップ（４）は、前記先のタイムスロットの第２の半分および前記次のタイムスロットの第１の半分中の信号の伝送が停止されることをさらに含む、請求項１に記載のＩＰＤＬにおける高速データトラフィックの伝送を制御する方法。
【請求項４】
前記ステップ（６）は、前記空タイムスロット中に伝送される信号はないことをさらに含む、請求項１に記載のＩＰＤＬにおける高速データトラフィックの伝送を制御する方法。
【請求項５】
前記ステップ（７）は、前記先のタイムスロットの第２の半分および前記次のタイムスロットの第１の半分中の信号の伝送が停止されることをさらに含む、請求項１に記載のＩＰＤＬにおける高速データトラフィックの伝送を制御する方法。
【請求項６】
前記ステップ（３）は、前記処理されたタイムスロット中の信号が、前記第１の半分のタイムスロットおよび前記第２の半分のタイムスロットにおいて複製されることをさらに含む、請求項１に記載のＩＰＤＬにおける高速データトラフィックの伝送を制御する方法。
【請求項７】
前記高速データトラフィックの伝送の受信端において、前記処理されたタイムスロット中の信号は、前記第１の半分のタイムスロットおよび前記第２の半分のタイムスロットにおいて複製された信号をマージすることによって回復される、請求項６に記載のＩＰＤＬにおける高速データトラフィックの伝送を制御する方法。
【発明の詳細な説明】
【０００１】
【発明の属する技術分野】
本発明は、無線通信システムにおける高速データ伝送のための方法に関する。より詳細には、本発明は、ＩＰＤＬにおける高速データトラフィックの伝送を制御するための方法に関する。
【０００２】
【従来の技術】
ワイドバンドコードマルチプルアドレス（ＷＣＤＭＡ）システムにおいて、移動局を見つけるために利用可能な複数のアプローチがある。それらの１つは、信号が異なる基地局から到達した場合に移動局が時間差を測定するという方法で達成されている。信号が他の基地局から到達した場合に移動局がその時間を測定することを容易にし、すぐ近くのサービス基地局と移動局との任意の干渉を避け、そして遠隔の基地局からの信号の受信感度を向上させるために、移動局が存在するセルにある基地局は干渉を低減するために一時的に閉鎖されるべきである。閉鎖中のダウンリンク伝送の時間（すなわち、ＩＰＤＬ）は、通常タイムスロットの半分である。ＩＰＤＬは、通常１００ｍｓ毎に発生する。移動局は、ＩＰＤＬによって信号が他の基地局から到達した場合の時間を測定し、それにより移動局は自身を見つけることができる。
【０００３】
【発明が解決しようとする課題】
しかし、ダウンリンク中のアイドルは、システム性能を犠牲にして実現される。ＩＰＤＬ中に、基地局はダウンリンクを伝送する信号を閉鎖し、従って基地局の範囲におけるすべての移動局は１００ｍｓ毎にタイムスロットの半分で信号を受信することができない。これは、すべての移動局がタイムスロットの半分で情報を失うことを意味する。故障に対する耐久性および低速度のトラフィック（例えば、音声）に関して、このような深い減衰のような（ｄｅｅｐ−ａｔｔｅｎｕａｔｉｏｎ−ｌｉｋｅ）一時的な損失は、長い伝送時間間隔（ＴＴＩ）に起因するＴＴＩエラー訂正コードで補正され得る。しかし、高速データトラフィック（例えば、１０Ｍｂｐｓ）に関して、半分のタイムスロットにおけるデータ損失は、３３３３ビットに達する。さらに、このようなデータ損失は、単にエラー訂正コードで補正することはできない。なぜなら、高速データトラフィックについてのＴＴＩは、１タイムスロットほどの長さしかないかもしれないからである。同時に、データを切り換えたパケットは、ゼロエラーデータ伝送を必要とし、訂正不可能なデータは再伝送され、それゆえＩＰＤＬはチャネルの利用率を低下させる。
【０００４】
本発明は、上記のような問題点に鑑みてなされたものであり、ＩＰＤＬにおける高速データトラフィックの伝送を制御するための方法を提供し、データトラフィックおよびシステム能力のＩＰＤＬへの影響を抑え、データを受信する際の遅延を低減し、そしてチャネルの利用率を向上させることを目的とする。
【０００５】
【課題を解決するための手段】
本発明のＩＰＤＬにおける高速データトラフィックの伝送を制御するための方法は、（１）ネットワークがＩＰＤＬの発生時間を取得し、該ＩＰＤＬの発生時間を判定するステップであって、該時間が専用物理制御チャネル（ＤＰＣＨ）で発生する場合、下記のステップ（２）に進行し、該時間が高速ダウンリンク共有チャネル（ＨＳ−ＤＳＣＨ）で発生する場合、下記のステップ（５）に進行する、ステップと、（２）該ＩＰＤＬが該ＤＰＣＨ中の２つのタイムスロットにわたるか否かを判定するステップであって、該ＤＰＣＨ中の２つのタイムスロットにわたらない場合、下記のステップ（３）に進行し、該ＤＰＣＨ中の２つのタイムスロットにわたる場合、下記のステップ（４）に進行する、ステップと、（３）拡大されたスペクトルファクタはＩＰＤＬにより占められるタイムスロット中の信号の半分にされ、伝送パワーが増大され、次いで下記のステップ（８）に進行するステップと、（４）ＩＰＤＬによりわたされた先のタイムスロットの該拡大されたスペクトルファクタを半分にし、処理された該タイムスロットは第１の半分のタイムスロットにあり、ＩＰＤＬによりわたされた次のタイムスロットの該拡大されたスペクトルファクタを半分にし、処理された該タイムスロットは第２の半分のタイムスロットにあり、先の該第１の半分のタイムスロット中の信号および次の該第２の半分のタイムスロット中の信号のために伝送パワーを増大し、次いで下記のステップ（８）に進行するステップと、（５）該ＩＰＤＬが該ＨＳ−ＤＳＣＨ中の２つのタイムスロットにわたるか否かを判定するステップであって、該ＨＳ−ＤＳＣＨ中の２つのタイムスロットにわたらない場合、下記のステップ（６）に進行し、該ＨＳ−ＤＳＣＨ中の２つのタイムスロットにわたる場合、下記のステップ（７）に進行する、ステップと、（６）該ＩＰＤＬが存在する位置に統合空タイムスロットを挿入し、次いでステップ（８）に進行するステップと、（７）該ＩＰＤＬによりわたされた該先のタイムスロットおよび該次のタイムスロットを２つの半分のタイムスロットにそれぞれ分割するステップであって、該先のタイムスロットの第１の半分中の信号は正常に伝送され、該先のタイムスロットの第２の半分中の信号は該次のタイムスロットの第２の半分のほうにシフトされ、該次のタイムスロット中の信号は１タイムスロット遅延されて伝送されるステップと、（８）該ＩＰＤＬ中にプロセスを終了するステップとを包含する。
【０００６】
本発明のＩＰＤＬにおける高速データトラフィックの伝送を制御するための方法は、前記ステップ（３）および前記ステップ（４）において、前記伝送パワーは２倍であってもよい。
【０００７】
本発明のＩＰＤＬにおける高速データトラフィックの伝送を制御するための方法は、前記ステップ（４）は、前記先のタイムスロットの第２の半分および前記次のタイムスロットの第１の半分中の信号の伝送が停止されていることをさらに含んでもよい。
【０００８】
本発明のＩＰＤＬにおける高速データトラフィックの伝送を制御するための方法は、前記ステップ（６）は、前記空タイムスロット中に伝送される信号はないことをさらに含んでもよい。
【０００９】
本発明のＩＰＤＬにおける高速データトラフィックの伝送を制御するための方法は、前記ステップ（７）は、前記先のタイムスロットの第２の半分および前記次のタイムスロットの第１の半分中の信号の伝送が停止されていることをさらに含んでもよい。
【００１０】
上記目的を達成するために、本発明は、以下のステップを含む：
（１）ネットワークがＩＰＤＬの発生時間を取得し、該ＩＰＤＬの発生時間を判定するステップであって、該時間が専用物理制御チャネル（ＤＰＣＨ）で発生する場合、下記のステップ（２）に進行し、該時間が高速ダウンリンク共有チャネル（ＨＳ−ＤＳＣＨ）で発生する場合、下記のステップ（５）に進行する、ステップと、
（２）該ＩＰＤＬが該ＤＰＣＨ中の２つのタイムスロットにわたるか否かを判定するステップであって、該ＤＰＣＨ中の２つのタイムスロットにわたらない場合、下記のステップ（３）に進行し、該ＤＰＣＨ中の２つのタイムスロットにわたる場合、下記のステップ（４）に進行する、ステップと、
（３）拡大されたスペクトルファクタはＩＰＤＬにより占められるタイムスロット中の信号の半分にされ、伝送パワーが増大され、次いで下記のステップ（８）に進行するステップと、
（４）ＩＰＤＬによりわたされた先のタイムスロットの該拡大されたスペクトルファクタを半分にし、処理された該タイムスロットは第１の半分のタイムスロットにあり、ＩＰＤＬによりわたされた次のタイムスロットの該拡大されたスペクトルファクタを半分にし、処理された該タイムスロットは第２の半分のタイムスロットにあり、先の該第１の半分のタイムスロット中の信号および次の該第２の半分のタイムスロット中の信号のために伝送パワーを増大し、次いで下記のステップ（８）に進行するステップと、
（５）該ＩＰＤＬが該ＨＳ−ＤＳＣＨ中の２つのタイムスロットにわたるか否かを判定するステップであって、該ＨＳ−ＤＳＣＨ中の２つのタイムスロットにわたらない場合、下記のステップ（６）に進行し、該ＨＳ−ＤＳＣＨ中の２つのタイムスロットにわたる場合、下記のステップ（７）に進行する、ステップと、
（６）該ＩＰＤＬが存在する位置に統合空タイムスロットを挿入し、次いでステップ（８）に進行するステップと、
（７）該ＩＰＤＬによりわたされた該先のタイムスロットおよび該次のタイムスロットを２つの半分のタイムスロットにそれぞれ分割するステップであって、該先のタイムスロットの第１の半分中の信号は正常に伝送され、該先のタイムスロットの第２の半分中の信号は該次のタイムスロットの第２の半分のほうにシフトされ、該次のタイムスロット中の信号は１タイムスロット遅延されて伝送されるステップと、
（８）該ＩＰＤＬ中にプロセスを終了するステップと
を包含するＩＰＤＬにおける高速データトラフィックの伝送を制御するための方法を提供する。
【００１１】
前記ステップ（３）および前記ステップ（４）において、前記伝送パワーは２倍であってもよい。
【００１２】
前記ステップ（４）は、前記先のタイムスロットの第２の半分および前記次のタイムスロットの第１の半分中の信号の伝送が停止されていることをさらに含んでもよい。
【００１３】
前記ステップ（６）は、前記空タイムスロット中に伝送される信号はないことをさらに含んでもよい。
【００１４】
前記ステップ（７）は、前記先のタイムスロットの第２の半分および前記次のタイムスロットの第１の半分中の信号の伝送が停止されていることをさらに含んでもよい。
【００１５】
【発明の実施の形態】
本発明は、制御チャネルについて拡大したスペクトルファクタを半分にし、そしてデータチャネルにおける伝送を調整するか、またはチャネル（ＤＰＣＨまたはＨＳ−ＤＳＣＨ）およびＩＰＤＬが発生する位置に従って全体のタイムスロットの信号伝送を閉鎖する。従って、本発明は、他のユーザとの干渉およびＩＰＤＬ中のデータ損失がなく、ＩＰＤＬの要件を実現する。このようにして、本発明は、データトラフィックおよびシステム能力へのＩＰＤＬへの影響を低減し、データを受信する際の遅延を低減し、そしてチャネルの利用率を向上させることに貢献する。
【００１６】
本発明は、図面および実施形態に従って、さらに詳細に説明される。
【００１７】
高速データトラフィックダウンリンクは、データ情報および対応する制御情報を搬送する。通常、制御情報は専用物理制御チャネル（ＤＰＣＨ）によって伝送され、データ情報は高速ダウンリンク共有チャネル（ＨＳ−ＤＳＣＨ）によって伝送される。ＤＰＣＨは、専有される各ユーザに割り当てられるが、ＨＳ−ＤＳＣＨはすべてのユーザに共有され、異なるユーザのデータはＨＳ−ＤＳＣＨにおける時間分割およびコード分割にわたって識別される。ＨＳ−ＤＳＣＨにおけるユーザの制御情報は、予めＨＳ−ＤＳＣＨのデータに関する変調および符号化フォーマットが分かるように、ユーザのＤＰＣＨにより前もっていくつかのＴＴＩ移動局に伝送される。そしてデータが到着すると、訂正復調および復号化が実施され得る。従って、ＩＰＤＬは現在のＨＳ−ＤＳＣＨのデータ損失となるばかりでなく、現在のＤＰＣＨの制御情報の損失にもなり、結果として、次のデータの訂正復調および復号化に影響を与える。
【００１８】
上記の分析に基づいて、ＩＰＤＬがＤＰＣＨで発生した場合、ＩＰＤＬに隣接する２つのタイムスロットの拡大されたスペクトルファクタは半分にされ、ＩＰＤＬがＨＳ−ＤＳＣＨで発生した場合、タイムスロットについての信号伝送は調整され得るか、またはＩＰＤＬの位置に従って全体が閉鎖され得る。ＩＰＤＬの影響を低減することができる。
【００１９】
ＩＰＤＬはタイムスロットの半分を占め、そして任意の位置で発生し得るので、１つのタイムスロットのみを占めるか、または２つのタイムスロットにわたることとなり得る（本発明の図２を参照）。高速データトラフィックの伝送は、この２つのケースに従って制御される。
【００２０】
図１は、本発明による方法の実施形態のフローチャートである。図１によれば、最初に、ＩＰＤＬの発生時間がステップ（１）で得られる。次いで、ステップ（２）でＩＰＤＬの発生時間を判定する。その時間が専用物理制御チャネル（ＤＰＣＨ）で発生した場合、ステップ（３）に進行し、ＩＰＤＬを処理する。ＤＰＣＨに関して、拡大されたスペクトルファクタは通常２５６または５１２であるので、コードリソースが十分である場合、この拡大されたスペクトルファクタは半分にされて、それぞれの元のタイムスロット中のデータは第１の半分および第２の半分で反復することが可能になる（図３を参照）。図３において、成分２１および２２は、２つを統合したタイムスロットである。ＩＰＤＬが発生すると、タイムスロット番号ｎについての拡大されたスペクトルファクタは半分にされ、従ってタイムスロット番号ｎは同じ内容の２つの部分的成分２３および２４に分割される。成分のそれぞれは、タイムスロットの半分を占める。このようにして、全体の成分（スロット２１）は、受信の終了時にマージする成分２３および２４によってのみ回復され得る。成分２１および２２と比較して品質の高いものを受信することを保証するために、この半分の拡大されたスペクトルファクタが伝送されると、成分２３および２４の伝送は伝送パワー補償を追加する必要がある。
【００２１】
ＩＰＤＬが２つのタイムスロットにわたるＤＰＣＨに関して、両方のタイムスロットは、半分の拡大されたスペクトルで処理される（図４を参照）。成分２１（すなわち、タイムスロット番号ｎ）は、半分の拡大されたスペクトルで処理された後に成分２３に変化し、そしてそれは第１の半分のタイムスロットにある。成分２２（すなわち、タイムスロット番号ｎ＋１）は、半分の拡大されたスペクトルで処理された後に成分２５に変化し、そしてそれは第２の半分のタイムスロットにある。成分２３の第２の半分のタイムスロットおよび成分２５の第１の半分のタイムスロットは、ＩＰＤＬがある位置にあり、そしてそれらは図４において成分２６としてマークされる。成分２６がＮＵＬＬを設定する場合、信号は伝送を停止する。従って、ＤＰＣＨにおいて１つのタイムスロットについて伝送される信号はなく、そのため他のユーザとの干渉はこの時間内で低減され、ＩＰＤＬを閉鎖する要求が満たされる。同時に、情報の損失は、半分の拡大されたスペクトルファクタにより取り除かれ得る。同様に、この半分の拡大されたスペクトルファクタに関する伝送パワーはまた、増加されることが必要である。
【００２２】
従って、ステップ（３）において、ＩＰＤＬがＤＰＣＨの２つのタイムスロットにわたるか否かが連続的に判定される。ＩＰＤＬがＤＰＣＨの２つのタイムスロットにわたらない場合、ステップ（４）に進む。ステップ（４）では、ＩＰＤＬにより占められるタイムスロット中の信号は、半分の拡大されたスペクトルファクタで処理され、伝送パワーが増加され、次いで現在のＩＰＤＬにおける処理が終了する。ＩＰＤＬが２つのチャネルにわたると判定された場合、ステップ（５）に進行し、ＩＰＤＬによってわたされた先のタイムスロットは半分の拡大されたスペクトルファクタで処理され、この処理されたタイムスロットは第１の半分のタイムスロットにある。ＩＰＤＬによってわたされた次のタイムスロットは半分の拡大されたスペクトルファクタで処理され、この処理されたタイムスロットは第２の半分のタイムスロットにある。先のタイムスロットの第１の半分および次のタイムスロットの第２の半分における信号の伝送パワーが増加され、先のタイムスロットの第２の半分および次のタイムスロットの第１の半分における信号が伝送され、次いで現在のＩＰＤＬについてのプロセスが終了する。
【００２３】
ステップ（４）およびステップ（５）において、上記伝送パワーは２倍である。
【００２４】
ステップ（２）において、ＩＰＤＬがＨＳ−ＤＳＣＨで発生すると判定されると、このプロセスはステップ（６）に進行し、ＨＳ−ＤＳＣＨの特性に従ってＩＰＤＬを処理する。
【００２５】
ＨＳ−ＤＳＣＨについて、拡大されたスペクトルファクタは、重い高速データトラフィックのために小さい（通常１６）。多くのコードフラグメントが占有されると、拡大されたスペクトルファクタを半分にし、データ伝送パワーを増加させることができなくなる。ＨＳ−ＤＳＣＨにおけるリソースは時間分割マルチプレキシングにより異なるユーザに割り当てられるので、データパケットは、ＩＰＤＬがチャネルリソースの割り当てにあるタイムスロットの分だけ遅延され得る。
【００２６】
ＩＰＤＬが１つのタイムスロットを占有する場合では（図５を参照）、統合空タイムスロットは、基地局がＨＳ−ＤＳＣＨを送信するときに存在する位置に挿入される。そのタイムスロットでは、信号はＨＳ−ＤＳＣＨから伝送されない。ＨＳ−ＤＳＣＨは、他のユーザとの干渉を低減し得る。ＩＰＤＬが２つのタイムスロットにわたる場合では（図６を参照）、タイムスロット番号ｎは２つの部分に分割される。第１の半分は、元のタイムスロット番号ｎの第１の半分で伝送される。第２の半分は、元のタイムスロット番号ｎ＋１の第２の半分で伝送される。
タイムスロット番号ｎ＋１は、伝送される前に１つのタイムスロットの分だけ遅延される。元のタイムスロット番号ｎの第２の半分および元のタイムスロット番号ｎ＋１の第１の半分は、ＮＵＬＬが設定される。ＮＵＬＬは、１つのタイムスロットにおいて他のユーザとの干渉を低減し得る。
【００２７】
従って、ステップ（６）において、ＩＰＤＬがＨＳ−ＤＳＣＨの２つのタイムスロットにわたるか否かが判定される。ＩＰＤＬがＨＳ−ＤＳＣＨの２つのタイムスロットにわたらない場合、ステップ（７）に進み、統合空タイムスロットが、ＩＰＤＬがある位置に挿入される。このタイムスロットでは、信号は伝送されず、次いで現在のＩＰＤＬについてのプロセスが終了する。ＩＰＤＬがＨＳ−ＤＳＣＨの２つのタイムスロットにわたると判定された場合、ステップ（８）に進行し、ＩＰＤＬによりわたされた２つのタイムスロット（先のタイムスロットおよび次のタイムスロット）は、２つの部分にそれぞれ分割される。先のタイムスロットの第１の半分における信号は、正常に伝送される。先のタイムスロットの第２の半分における信号は、次のタイムスロットの第２の半分のほうにシフトされて伝送される。そして、次のタイムスロット中の信号は、伝送される前に１つのタイムスロットの分だけ遅延される。先のタイムスロットの第２の半分および次のタイムスロットの第１の半分は伝送を停止し、最後に現在のＩＰＤＬのプロセスが終了する。
【００２８】
本発明は、ＩＰＤＬにおける高速データトラフィックの伝送を制御するための方法を開示する。この方法は、以下を含む。ＩＰＤＬがＤＰＣＨチャネル中で発生した場合、拡大されたスペクトルファクタはＩＰＤＬにより占められたタイムスロット中の信号のために半分にされ、そして伝送パワーが増加されるか、あるいはＩＰＤＬによりわたされた第１のタイムスロットおよび第２のタイムスロットの拡大されたスペクトルファクタが半分にされ（正確な位置は、先のタイムスロットの第１の半分および次のタイムスロットの第２の半分である）、そして伝送パワー補償が加えられる。ＩＰＤＬがＨＳ−ＤＳＣＨチャネル中で発生した場合、空タイムスロットが、ＩＰＤＬがある位置に挿入されるか、あるいはＩＰＤＬによりわたされた先のタイムスロットおよび次のタイムスロットは２つの半分のタイムスロットにそれぞれ分割される。先のタイムスロットの第１の半分中の信号は、正常に伝送される。先のタイムスロットの第２の半分における信号は、次のタイムスロットの第２の半分のほうにシフトされて伝送される。次のタイムスロット中の信号は、伝送される前に１つのタイムスロットの分だけ遅延される。本発明は、データトラフィックおよびシステム能力へのＩＰＤＬへの影響を低減し、データを受信する際の遅延を低減し、そしてチャネルの利用率を向上させることに有用である。
【００２９】
【発明の効果】
本発明の方法によって、ＩＰＤＬにおける高速データトラフィックの伝送を制御するための方法を提供し、データトラフィックおよびシステム能力のＩＰＤＬへの影響を抑え、データを受信する際の遅延を低減し、そしてチャネルの利用率を向上させることができる。
【図面の簡単な説明】
【図１】図１は、本発明による方法の実施形態のフローチャートである。
【図２】図２は、ＩＰＤＬが発生する位置を示す。
【図３】図３は、ＩＰＤＬがＤＰＣＨの１つのタイムスロットを占める位置を示す。
【図４】図４は、ＩＰＤＬがＤＰＣＨの２つのタイムスロットにわたる位置を示す。
【図５】図５は、ＩＰＤＬがＨＳ−ＤＳＣＨの１つのタイムスロットを占める位置を示す。
【図６】図６は、ＩＰＤＬがＨＳ−ＤＳＣＨの２つのタイムスロットにわたる位置を示す。
【符号の説明】
２１  成分
【図１】
0004157763.tif 000002
【図２】
0004157763.tif 000003
【図３】
0004157763.tif 000004
【図４】
0004157763.tif 000005
【図５】
0004157763.tif 000006
【図６】
0004157763.tif 000007